(57)【要約】【課題】電子装置とその中に統合化されたカメラ・モジュールとの間のデータ伝送の方法及び装置を提供する。【解決手段】この方法においては、画像データとそれから生成された統計データとが、直列同期差分信号の形で、共通のデータ伝送バス上の、カメラ・モジュールから電子装置へのデータ・フレームにて、同期コードによりデータ・フレーム内で相互に分離されるようにして、伝送される。そのデータ伝送においては、サブＬＶＤＳ送信器／受信器が使用される。【選択図】図３
2007151174.tif 000002
【特許請求の範囲】
【請求項１】
カメラ・モジュール（３０１）と電子装置（３０２）との間でのデータの伝送の方法であって、
前記カメラ・モジュールのイメージセンサ（３０４）内で画像データを生成するステップであって、前記イメージセンサが少なくとも１列の画素を有し、前記画素列によって生成されたデータを前記画像データが有するように成すステップと、
前記画像データから画像特性に関する情報を収集するステップと、
を有する方法において、
前記カメラ・モジュールから前記電子装置へ本質的に同時に前記画像データと前記画像特性に関する情報とを伝送するステップと、
該電子装置において前記画像特性に関する情報を使用して前記画像データを処理するステップと、
をさらに具備することを特徴とする方法。
【請求項２】
前記画像データと前記画像特性に関する情報とが互いにインタレースされて少なくとも一つの共通バスで伝送されることを特徴とする、請求項１に記載の方法。
【請求項３】
前記画像データと前記画像特性に関する情報とが同じデータ・フレームで伝送され、前記データ・フレームが、少なくとも一つの画像データ単位と、少なくとも一つの画像特性データ単位と、前記画像データ単位と前記画像特性データ単位とを分離するための少なくとも一つの同期コードと、を具備することを特徴とする、請求項２に記載の方法。
【請求項４】
前記画像データ単位が、少なくとも一つの前記画素列によって生成された画像データを具備すること、及び、前記画像特性データ単位が、少なくとも一つの画素列によって生成された前記画像データの画像特性に関する情報を具備することを特徴とする、請求項３に記載の方法。
【請求項５】
前記画素列が、前記イメージセンサ内で垂直方向の列又は水平方向の列であることを特徴とする、請求項４に記載の方法。
【請求項６】
前記データ・フレームが、直列同期差分信号の形で、前記カメラ・モジュールから前記電子装置へ伝送されることを特徴とする、請求項５に記載の方法。
【請求項７】
前記カメラ・モジュールと前記電子装置とが一つの単一装置に統合化され、前記バスが装置内蔵型バス（device-internal bus）であることを特徴とする、請求項２から請求項６までのいずれか一項に記載の方法。
【請求項８】
画像処理と関連する少なくとも一つのパラメータの生成の基礎として、前記伝送された画像特性に関する情報を使用することを特徴とする、請求項７に記載の方法。
【請求項９】
作成された前記少なくとも一つの画像処理用パラメータが、生成対象の画像の処理に使用されることを特徴とする、請求項８に記載の方法。
【請求項１０】
前記少なくとも一つの画像処理用パラメータが、次の画像の画像データを生成するために前記カメラ・モジュールの前記イメージセンサの調整に使用されることを特徴とする、請求項９に記載の方法。
【請求項１１】
カメラ・モジュール（３０１）と電子装置（３０２）とを具備する装置（３００）であって、
前記カメラ・モジュールのイメージセンサ（３０４）内に画像データを生成する手段であって、前記イメージセンサが少なくとも１列の画素を具備し、前記画素列によって生成されたデータを前記画像データが具備するように成す手段（３０３、３０４）と、
前記画像データの画像特性に関する情報を収集する手段（３０５）と、
を具備する装置（３００）において、
前記カメラ・モジュールから前記電子装置へ本質的に同時に画像データと画像特性に関する情報とを伝送する手段（３１０、３１２、３２０）と、
該電子装置（３０２）において前記画像特性に関する情報を使用して前記画像データを処理する手段（３１４、３１５、３１６）と、
をさらに具備することを特徴とする装置。
【請求項１２】
前記データ伝送手段が、前記画像データと前記画像特性に関する情報とを同じデータ・フレームで伝送するように実現され、前記データ・フレームが、少なくとも一つの画像データ単位と、少なくとも一つの画像特性データ単位と、前記画像データ単位と前記画像特性データ単位とを分離するための少なくとも一つの同期コードと、を具備することを特徴とする、請求項１１に記載の装置。
【請求項１３】
前記データ・フレームが、互いにインタレースされた前記画像データと前記画像特性に関する情報とを具備し、さらに、前記データ・フレームが、前記カメラ・モジュールから前記電子装置へ少なくとも一つのバスで伝送されることを特徴とする、請求項１２に記載の装置。
【請求項１４】
前記データ伝送手段が、前記カメラ・モジュールから前記電子装置へ直列同期差分信号の形で前記データ・フレームを伝送するようにさらに実現されることを特徴とする、請求項１３に記載の装置。
【請求項１５】
前記伝送された画像特性に関する情報から画像処理用パラメータを生成する手段（３１６、３１４）も具備することを特徴とする、請求項１１から請求項１４までのいずれか一項に記載の装置。
【請求項１６】
前記画像処理用パラメータに基づいて前記伝送画像データを処理する画像データ処理手段（３１６、３１４）をさらに具備することを特徴とする、請求項１５に記載の装置。
【請求項１７】
前記画像データ処理手段が、生成対象の画像を処理するように実現されていることを特徴とする、請求項１６に記載の装置。
【請求項１８】
前記画像データ処理手段が、次の画像の取得時に前記イメージセンサを制御するようにさらに実現されていることを特徴とする、請求項１７に記載の装置。
【請求項１９】
前記装置が移動通信端末であることを特徴とする、請求項１１から請求項１８までのいずれか一項に記載の装置。
【請求項２０】
前記移動通信端末とカメラ・モジュールとが一つの単一装置の中に統合化され、かつ、前記バスが装置内蔵バスであることを特徴とする、請求項１９に記載の装置。
【発明の詳細な説明】
【技術分野】
【０００１】
本発明は、カメラと接続された装置に関する。具体的には、本発明は移動通信端末のディスプレイとカメラ・モジュールとの間でのデータ伝送に関するものであるが、必ずしもこれに限定されるものではない。
【背景技術】
【０００２】
デジタル・カメラ及びデジタル・ビデオ・カメラでは、光学画像の電気信号への変換はイメージセンサ、典型的には感光性半導体素子（電荷結合素子ＣＣＤまたは相補型金属酸化膜半導体ＣＭＯＳ）によって実現される。前記素子は、小さな規則的な画像要素（画素）であって、光と色に敏感な画像要素（画素）（検出器マトリックスとも呼ばれる）を有するプレートである。このマトリックスの解像度はその物理的サイズと細分の程度によって変動する。一般にイメージセンサは数十万の画素を有する。例えばＶＧＡ解像度（ビデオ・グラフィック・アレイ）では、６４０×４８０＝３０７，２００の画素が使用される。イメージセンサ製造における高度に発達したＣＭＯＳ技術を利用することにより、同じ半導体素子上でのデジタル電子装置とアナログ電子装置のイメージセンサとの統合化が可能になる。カメラ・モジュールのサイズと重量の減少により、このようなモジュールを統合化して携帯用コンピュータや移動通信端末装置のようなさらに小型の電子装置に変えることが可能となる。
【０００３】
従来技術によるカメラ・モジュールの構造が図１に図示されている。この解決方法では、すべての機能ブロックと、画像処理に関連する操作とはカメラ・モジュール１０の中に一体化して統合化される。このモジュールには、１以上の光学レンズ１２と、感光性ＣＭＯＳセンサ素子１３と、このＣＭＯＳセンサ素子を調整する制御ユニット１４と、プログラム可能なアナログ増幅器１５（プログラム可能な利得増幅器、ＰＧＡ）とが含まれる。ＡＤ変換器１６によって、アナログ画像信号はデジタル形式へ変換され、その後、カラー・バランス及びホワイト・バランスの調整などによりこのアナログ画像信号は様々な画像処理関数による処理（参照符号１７）が可能となる。接続インタフェース１８と１９を介して、画像信号は転送され、例えば、電子装置１１のメモリ２１の中へ記憶されたり、電子装置１１のディスプレイ２２に表示される。ユーザ・インタフェース１０、メモリ２１、及び、ディスプレイ２２間のデータ伝送は、プロセッサ２０などにより制御可能である。
【０００４】
上述のタイプの完全な統合化による解決方法は、画像処理演算を行うための十分な処理能力を持っていない統合化されたカメラ・モジュールを備えた装置に対して適用可能である。すべての画像処理演算が行われることにより、カメラ・モジュールに必要なシリコン面の面積が増える結果、装置価格の上昇、装置の物理的サイズ及び重量の増加のために、電子装置と、電子装置の中に統合化されたカメラ・モジュールとの間の画像処理関数ブロックの分割を行うことが望ましい。
【０００５】
カメラ・モジュールと電子装置との間での機能の従来技術による分割が図２（ａ）に示され、それにおいては、電子装置２０２とその中に統合化されたカメラ・モジュール２０１との間に単方向パラレル・インタフェース２０９，２１１が存在する。このインタフェースは、例えば、データ用として８ビット、及び、クロック信号、送信対象データ・フレームの同期、画像を形成する画素列の同期の各々について１ビットを含むようにしてもよい。画像データは、イメージセンサ２０４の読出し時間中カメラ・モジュール内で生成され、前記パラレル・インタフェース（参照符号２０９、２１１）を介して電子装置へ伝送され、そこで受信画像データは、統計データの計算用として使用される。この統計データは次いで、イメージセンサ２０４と画像信号増幅器２０５の制御装置２０７等のカメラ・モジュール内の機能ブロックの制御に使用されるカメラ・モジュール・レジスタ２１７へＩＩＣ（集積回路間）バス（参照符号２１０，２１２）を介して伝送される。ＡＤ変換された（参照符号２０８）画像データは電子装置２０２へ伝送され、そこで、画像データは処理され、この画像データから統計データが計算され、この画像データは画像として装置の表示器２１６へ転送され、あるいは、装置のメモリ２１４の中へ記憶される。個々のバス（例えばＩＩＣまたはＲＳ２３２など）は、電子装置からカメラ・モジュールへの統計データの伝送用として使用される。このバスを介して、画像処理演算を行うためにカメラ・モジュール内のレジスタへのアクセスが可能である。画像処理に必要なデータは電子装置内の画像データから計算された統計データから得られる。また必要な情報がカメラ・モジュール・レジスタ２１７からＩＩＣバスを介してフェッチされ、電子装置内のプロセッサ２１３によって画像処理用パラメータ値の最終計算が実行される。この計算結果として得られたパラメータは、制御バス（２１０、２１２）を介してカメラ・モジュール・レジスタ２１７へ送信され、イメージセンサ制御器２０７などによって使用され、あるいは、プログラム可能な増幅器（参照符号２０５）等の機能ブロックの制御用として使用される。上述のタイプの制御データ・バスはあまり高速ではなく、ＩＩＣバスの典型的データ転送速度はおよそ１００ｋｂｐｓである。このバスの低いデータ転送速度は、例えば良好な照明条件でデジタルビデオカメラを使用したり、暗いエリアへ移動したり、逆に明るいエリアへ移動したりする場合などの画像安定化時に観察可能な遅延として現れる。画像処理時に統計データを利用するためには、処理を行うためにカメラ・モジュールから電子装置へ画像データを送信した直後に、カメラ・モジュールと電子装置間で多量のデータを伝送する必要がある。図２（ｂ）によれば、遅延の原因は以下の通りである：画像１用画像データは、カメラ・モジュール内で生成された後、最終画像処理のために電子装置へ送信される。これを行うために、画像１用の統計データＳＤ１が受信画像データから計算され、データＳＤ１はＩＩＣバスを介してカメラ・モジュール・レジスタ２１７へ送信される。ＩＩＣバスの低いデータ転送速度に起因して、装置への画像２用の画像データの伝送が既に進行中のとき、ＩＩＣバスを介するカメラ・モジュールへの画像１用統計データの伝送が完了する。その結果、画像１の統計データは、処理の対象として望ましい画像２ではなく、画像３に対してしか使用できなくなる。イメージセンサの表面に対する照明条件の変更がさらに高速に生じる場合この遅延はさらに強調される。
【発明の開示】
【課題を解決するための手段】
【０００６】
電子装置（ホスト装置）とそれに接続されたカメラ・モジュールとの間でのデータ伝送の方法及び装置が発明された。本発明に準拠する方法では、画像データ・ビットと統計データ・ビットとが特別の同期コードによって互いから分離されるように、収集された統計データは、前記画像データとインタレースされて、未処理画像データから同じデータ・フレームでほぼ同時に同じ通信チャネルで送信される。特別のＣＣＰバス（コンパクトカメラポート）で直列差分信号の形でこの画像データと統計データとを電子装置へ簡単かつ迅速に伝送することが可能である。受信画像データは、遅延することなく好適な方法で前記画像データから収集された統計データに基づいて電子装置内で処理することができる。画像データの処理手段は、電子装置またはカメラ・モジュール内のメモリに記憶されたコンピュータ・プログラム、あるいは、演算を実行する電子部品のいずれかであってもよい。従来技術と比較すると、本発明に準拠する実行は遅延が生じないため高速であり、伝送ラインとコネクタとが少なくなるため製造コストが低減される。さらに、単純化されたデータ伝送バスによってカメラ・モジュールの設計が簡単になり、電子装置内のソフトウェアの時間依存度を少なくすることが可能となる。
【０００７】
本発明の第１の態様によれば、カメラ・モジュールと電子装置間でのデータ伝送方法が実現され、前記方法はカメラ・モジュールのイメージセンサ内での画像データ生成段階と、前記画像データからの統計データ収集段階とを有し、さらに、前記方法においては、前記画像データと前記統計データとが、共通の伝送バスを介してカメラ・モジュールから電子装置へ伝送され、画像処理と関連する少なくとも一つのパラメータの少なくとも一つの値が前記伝送された統計データに基づいて生成され、前記画像データが少なくとも一つのパラメータの前記少なくとも一つの値を用いて処理され、一つの画像が前記処理された画像データから生成されることを特徴とする。
【０００８】
本発明の第２の態様によれば、画像データの生成手段を有するカメラ・モジュールが統合化された電子装置が実現され、該装置は、前記画像データから統計データを収集する手段と、共通のデータ伝送バスを用いてカメラ・モジュールから電子装置へ画像データと統計データとを伝送する手段と、前記伝送された統計データから少なくとも一つの画像処理用パラメータの少なくとも一つの値を生成する手段と、少なくとも一つの画像処理用パラメータの前記少なくとも一つの値に基づいて前記画像データを処理する手段と、処理された画像データから画像を生成する手段と、を有することを特徴とする。
【０００９】
従来技術については、図１並びに図２（ａ）及び（ｂ）を参照して解説した。以下、図３−図５を参照しながら本発明についてさらに詳細に説明する。
【発明を実施するための最良の形態】
【００１０】
図３は、電子装置とそれに接続されたカメラ・モジュールとの間でデータ伝送を行う、本発明に準拠するシステムを例示する。装置３００は、電子装置３０２、及び、電子装置３０２の中へ統合化されたカメラ・モジュール３０１を具備し、カメラ・モジュールと電子装置（移動通信端末など）とは単一の装置３００の中に統合化されている。カメラ・モジュール３０１は、光と色に敏感な画像要素、すなわちイメージセンサの表面にマトリックス様フォーマットで画素列の形で構成される画素が含まれるイメージセンサ（検出器アレイ）３０４の表面上に光学画像を集束するレンズ３０３と、画像信号を増幅するプログラム可能なアナログ増幅器３０５と、アナログ信号をデジタル形式に変換するＡＤ変換器３０９と、イメージセンサの露光時間などを調整するイメージセンサ制御器３０８と、増幅器３０５と制御器３０８が必要とする、画像処理用パラメータを記憶するレジスタ３０７と、統計データ収集器３０６と、インタレース用装置３２０と、伝送バス（参照符号３１０、３１２）と、カメラ・モジュールから電子装置への画像データと統計データの転送を目的とする、データをレジスタ３０７へ伝送する別の伝送バス（参照符号３１１、３１３）とを具備する。
【００１１】
画像は、カメラ・レンズ３０３を介してイメージセンサ検出器マトリックス上へ生成され、ここで、マトリックスから成る各画像要素すなわち画素によって、画素に当る光がアナログ信号へ変換され、このアナログ信号は、増幅器３０５によって増幅され、次いでＡＤ変換器３０９によってデジタル形式の画像データへ変換される。この生成された画像データから統計データが収集される（参照符号３０６）。この統計データは画像輝度に関する情報などを含むものであってもよい。この統計データは、この場合デジタル信号から収集されたものであるが、アナログ信号から収集されたものであってもよい。画像データと統計データとは、サブＬＶＤＳ回路として送信端及び受信端で実現される、装置３００の内部バスである特別のＣＣＰバス（コンパクト・カメラ・ポート）でさらなる処理を行うために、メモリ３１５などの電子装置へ伝送される同じデータ・フレームの中へインタレースされる（参照符号３２０）。ＣＣＰバスでは、好適な方法として一つの送信器／受信器ペアを用いる方法があるが、いくつかの送信器／受信器ペアを用いることも可能である。カメラ・モジュールと電子装置間でのデータ伝送は直列同期差分信号を用いて実行される。画像データと統計データとを伝送する代替方法として、サブＬＶＤＳバスなどの２つの別個のバスをほぼ同時に使用して、画像データを前記第１のバスを介して伝送し、統計データを前記第２のバスを介して伝送するようにする方法がある。カメラ・モジュールと電子装置との間のデータ伝送バスの数は前記一つまたは二つのバスに限定されない。上述のデータ伝送方法を実行するためにさらに多数のバスの使用も可能である。
【００１２】
電子装置では、画像データと統計データとは受信データ・フレームから分離される。統計データから、画像処理用パラメータ値が計算される（参照符号３１４−３１６）。これらの画像処理用パラメータ値は、前記画像データの処理または表示器上に生成された画像の処理に、あるいは、次の画像を生成するイメージセンサ３０４の演算に利用することが可能である。画像処理用ブロック３１６は、画像スケーリング、カラー・バランスを支配的な照明条件に調整するホワイト・バランス、調整用露光制御と利得制御、及び、ＲＧＢ−ＹＵＶ画像フォーマット変換のような機能を含むことができる。前記機能に加えて、あるいは、前記機能の代わりに、この画像処理用ブロックが画像処理に関連する他の機能を含むものであってもよいことは言うまでもない。イメージセンサの操作は、露光時間や画像信号利得の変更などによりイメージセンサ制御ユニット３０８によって制御される。制御信号は電子装置３０２からＩＩＣバス（参照符号３１１、３１３）を介して伝送される。クロック信号は電子装置内のクロック３１９によってカメラ・モジュールへ出力され、そこで、位相ロックループ（ＰＬＬ）と電圧制御発振器（ＶＣＯ）（参照符号３１８）とによってＣＣＰバスで使用される周波数へ変換される。電子装置によって出力されるクロック周波数は、例えば１３ＭＨｚなどであってもよい。このクロック周波数（１３ＭＨｚ）は、カメラ・モジュールの中で、ＣＣＰバスで使用される１０４ＭＨｚの周波数へ変換される。この画像信号は、サブＬＶＤＳ（サブ低電圧差分信号）受信装置によって電子装置内で受信され、画像データはディスプレイ３１７またはメモリ３１５のいずれかへ転送される。
【００１３】
イメージセンサ制御、ＡＤ変換、アナログ信号増幅、並びに、統計データの収集、及び、同じデータ・フレームの中への画像データと統計データのインタレース等の最も重要な機能だけがカメラ・モジュールの中へ統合化され、その他の機能はコンピュータ・プログラムにより電子デバイス内のプロセッサ３１４によって処理される。このようにして、カメラ・モジュールの物理サイズがさらに小型化され、その機械的構造のさらなる単純化が可能となる。
【００１４】
システム・クロック信号は、サブＬＶＤＳバス出力を用いて電子装置からカメラ・モジュールへクロック信号を出力することにより実現が可能である。この場合、カメラ・モジュールの中に個々の位相ロックループ（ＰＬＬ）や電圧制御発振器（ＶＣＯ）は不要である。従来技術では、カメラ・モジュールへ出力された信号を適切な周波数へ変換するためにこれらの部品が用いられた。さらに、このシステム・クロックは、同時にＣＣＰクロックとして用いることができる。従来の構成と比較した場合の相違として、このケースではクロック信号が常時オンであるという点が挙げられる。このＣＣＰブロックによって、クロック信号は常時作動が可能になる。但し、画像データと統計データの始点と終点とは同期コードだけによって決定される。
【００１５】
この実施例では、いわゆるバイパスＣＣＰモードで、ポジティブ・エッジの発生時にデータはバスへ書き込まれ、かつ、バスから読み出される。ポジティブ・エッジ発生時のデータのこの書き込み及び読み出しは、バイパス・モードでのより長い遅延によって可能となる。ＣＣＰクロック信号はカメラ・モジュールによって出力されず、受信端、すなわち電子装置によって出力される。クロック信号は電子装置からカメラ・モジュールへ、例えば、データをフェッチした元の場所であるレジスタへ送信される。信号伝送の遅延に起因して、クロック信号は、カメラ・モジュール内の場合より早めに電子装置内でアップ状態（up state）になっている。さらに多くの遅延が、データ信号の読み出しが可能となる前に、カメラ・モジュールから電子装置へデータ信号を返送しなければならないという事実に起因して生じる。
【００１６】
図４（ａ）及び（ｂ）は、同じデータ・フレーム内で統計データと画像データとをインタレースする代替の実現例を例示する図である。このデータ・フレーム（参照符号４１０、４２０）には一つの画像について画像データと統計データとが含まれる。画像データは、１ラインずつ画像データ単位（４０２、４０５、４０６、４０７）に分割することができる。したがって、６４０本の垂直線または４８０本の水平線のいずれかを含む画像データ単位などからＶＧＡ解像度での画像データの生成が可能となる。本発明の実現が上記の画素列の数に限定されるものではないこと、あるいは、ＶＧＡ画像の伝送用だけに使用が限定されるものではなく、他の画像サイズの使用も可能であることは言うまでもない。統計データは、図４（ａ）の場合のように、データ・フレームのすべての画像データ単位を含む一つの統計データ単位として、あるいは、各統計データ単位が、図４（ｂ）に図示のように、一つの画像データ単位の統計データを含むように実現することができる。以下の代替実現例を視覚化するために、データ・フレーム内の画像データの中には４８０本の水平線が含まれる。
【００１７】
図４（ａ）の第１の代替実現例は、同じデータ・フレーム内の統計データと画像データとのインタレースを例示し、前記データ・フレームには、画像データ単位と、統計データ単位と、画像データ単位から統計データ単位を分離し、異なるデータ・フレームを互いから分離するために使用される同期コードと、が含まれる。データ・フレーム内の画像データと統計データの所在位置または順序は些細な問題である。視覚化の例として、画像サイズは、６４０本の垂直線と４８０本の水平線とを含む上記のＶＧＡ解像度に対応する。この場合、最後のデータ単位（参照符号４０６）の後に、画像の統計データを含むもう一つのデータ単位（参照符号４０７）を送信するように画像データが伝送される。統計データ量は、一つの画像データライン内のデータ量より少なくすることも、多くすることもできるので、これに対応して、最後のラインが短くなったり長くなったりする可能性がある。しかし、このことに起因して問題が生じることはない。なぜなら、フレームの始端が同期コードＦＳ（フレーム始端）（参照符号４０１）によって示され、フレーム終端がコードＦＥ（フレーム終端）（参照符号４０８）によって示されるように、特別の同期コードを用いてフレームが画定されるからである。このフレーム内に、各ラインについての画像データと統計データとは、やはりレコードの始端を示す同期コードＬＳ（ライン始端）（参照符号４０４）と、レコードの終端を示すＬＥ（ライン終端）（参照符号４０３）とを有する。
【００１８】
本例のケースでは、フレーム始端同期コードＦＳ（参照符号４０１）が伝送され、その後に、第１のライン（参照符号４０２）用画像データとライン終端同期コードＬＥ（参照符号４０３）とが続く。各ラインの始端を示す各ラインの前に同期コードＬＳ（参照符号４０４）を伝送するように、ライン２乃至ライン４８０が各々伝送され、次いで、各ライン用画像データの伝送後、各ラインの終端を示す同期コードＬＥ（参照符号４０３）が伝送される。ライン４８０（参照符号４０６）用画像データの後に統計データＳＤ（参照符号４０７）が伝送される。統計データＳＤの伝送前、同期コードＬＳ（参照符号４０４）が伝送され、次いで、このラインの後に、伝送されたフレームのこの終端を示す同期コードＦＳ（参照符号４０８）が伝送される。
【００１９】
例えば、フレーム内で、同期コードによって分離された４８０個の第１のデータ単位が画像データを含み、４８１番目のデータ単位に統計データが含まれると想定することにより、受信端で画像データと統計データとを簡単に互いから分離することができる。
【００２０】
図４（ｂ）の別の代替実現例にはフレーム内に画像データと統計データとのインタレースが含まれ、第１のラインの画像データがまず伝送され、次いで、この伝送後に、対応するラインの統計データが伝送されるように成される。画像データ、及び、フレーム内の他のライン用の対応する統計データが同様に伝送される。
【００２１】
フレームの伝送は同期コードＦＳ（参照符号４０１）から開始され、その伝送後、ライン１用の画像データが伝送され（参照符号４０２）、最後に、ライン１内の画像データの終端が同期コードＬＥ（参照符号４０３）の伝送により示される。同期コードＬＳ（参照符号４０４）は、ライン１（参照符号４０７）用の統計データＳＤの伝送の開始を示す。その伝送後、ライン１（参照符号４０７）用統計データＳＤが伝送され、最後に、ライン１用の統計データの終端が同期コードＬＥ（参照符号４０３）によって示される。ライン２−４７９の各々は以下のように伝送される：第１にＬＳコード（参照符号４０４）が現われ、このコードの後に、ライン（参照符号４０５、４０６）用の画像データ単位が続き、最後にＬＥコード（参照符号４０３）が来る。ライン４８０は同様にライン２−４７９へ伝送されるが、最後のライン用の統計データの後、フレーム終端を示すためにＦＥコード（参照符号４０８）が伝送されるという違いがある。受信端において、上記の同期コードを利用することにより画像データと統計データとは簡単に互いから分離することができる。
【００２２】
上述の実現例では、統計データも、ＳＤＳ（統計データ始端）及びＳＤＥ（統計データ終端）等の別個の同期コードによって同期をとることができる。
【００２３】
図５は、電子装置とカメラ・モジュール間での画像データと統計データの伝送の実現例を例示する図である。データ伝送は、この場合、移動通信端末の供給電圧（例えば、典型的ＬＶＤＳ供給電圧がおよそ３．０Ｖの場合１．５〜１．８Ｖ）で作動するサブＬＶＤＳタイプの電流信号送信装置５０１と受信装置５０２とによって実行されるが、必ずしもこれに限られるものではない。送信装置５０１は、回路５０５を制御する供給電圧Ｖｉｎ入力５０４と、伝送されたビット要素を受信する入力部５０３と、非反転電流信号と反転電流信号とを伝送する出力部５１３、５１４と、外部電流設定抵抗器５１０を有する。受信装置５０２は、回路５０６を制御する供給電圧Ｖｉｎ入力部５０４と、非反転電流信号及び反転電流信号を受信する入力部５１５、５１６と、受信された電流信号からビット要素を生成する出力部５０７と、外部利得設定抵抗器５１１とを有する。信号は、図５に従う自己バイアス信号伝送方法を用いて伝送ライン５０８と５０９で送信装置から受信装置へ転送される。この自己バイアス信号伝送方法は前記伝送ライン間の抵抗器５１２（例えば１００Ωなど）によって例示されている。
【００２４】
この作動原理は通常のＬＶＤＳ回路と異なるものではない。電流信号は、非反転ライン５０８の電圧が正で反転ライン５０９の電圧が負である場合１ビットとして解釈される。同様に、０ビットは逆の状況によって示される。サブＬＶＤＳタイプの電流信号送信器／受信器ペアは、電磁ノイズを最小に保持しながら、高いデータ転送速度で使用が可能である。
【００２５】
本明細書は、例によって本発明の実現例と実施例とを示すものである。本発明が如上の実施例の細部に限定されるものではないこと、及び、本発明が本発明の特徴から逸脱することなく別の形で実現可能であることは当業者によって理解されよう。提示の実施例は本発明を限定するものではないと考えるべきである。したがって、本発明の実現と利用の可能性は添付の請求項のみによって限定される。したがって、請求項によって定められるような、均等な実施例を含む本発明を実現する様々なオプションは本発明の範囲に属するものである。
【図面の簡単な説明】
【００２６】
【図１】電子装置と、電子装置と接続されたカメラ・モジュールとの間でデータ伝送を行うための従来技術によるシステムを例示する。
【図２】（ａ）は、電子装置とカメラ・モジュールとの間の機能を分割するための従来技術によるシステムを例示し、（ｂ）は、（ａ）に準拠するシステム内の信号間での遅延を例示する。
【図３】電子装置と、電子装置と接続されたカメラ・モジュールとの間でデータ伝送を行うための本発明に準拠するシステムを例示する。
【図４】（ａ）及び（ｂ）は、データ・フレーム内で統計データと画像データとをインタレースする代替実現例を例示する。
【図５】電子装置とカメラ・モジュール間でのデータ伝送用データ伝送装置を例示する。
【符号の説明】
【００２７】
３００    データ伝送装置
３０１    カメラ・モジュール
３０２    電子装置
３０３    レンズ
３０４    検出器アレイ
３０５    画像信号増幅器
３０６    統計データ収集器
３０７    モジュール・レジスタ
３０８    イメージセンサ制御器
３０９    ＡＤ変換器
３１０    ＣＣＰ（コンパクトカメラポート）インタフェース
３１１    ＩＩＣインタフェース
３１２    ＣＣＰ（コンパクトカメラポート）インタフェース
３１３    ＩＩＣインタフェース
３１４    プロセッサ
３１５    メモリ
３１６    画像処理
３１７    表示器
３１８    位相ロックループ（ＰＬＬ）／電圧制御発振器（ＶＣＯ）
３１９    クロック
３２０    インタレース用装置
【図１】
2007151174.tif 000003
【図２】
2007151174.tif 000004
【図３】
2007151174.tif 000005
【図４】
2007151174.tif 000006
【図５】
2007151174.tif 000007